(57)【要約】      （修正有）【課題】径が異なる複数種のドラムやロール状物に対し容易に対応することができ、構造簡単かつ軽量で、安価に製造可能な搬送用パレット、およびその搬送用パレットを備えたコンテナを提供する。【解決手段】四角形状のパレット基体１、パレット基体の下面側に突出する脚部２，３、パレット基体の上面側に突出する一対の受け部４，４、一対の受け部に形成された係止孔５、係止孔に抜き差し自在に差し込まれパレット基体の上面側に立ち上がるストッパー爪を備える。一対の受け部４，４は所定の間隔をおいて並設し、係止孔５は受け部４の長手方向および短手方向に沿って所定間隔ごとに複数形成する。任意の係止孔５に差し込んだストッパー爪で搬送物が支持される。【選択図】図１
2013063792.tif 000002
【特許請求の範囲】
【請求項１】
四角形状のパレット基体と、
前記パレット基体の下面側に突出する脚部と、
前記パレット基体の上面側に突出する少なくとも一対の受け部と、
前記一対の受け部に形成された係止孔と、
前記係止孔に抜き差し自在に差し込まれて前記パレット基体の上面側に立ち上がる複数のストッパー爪と、を備え、
前記一対の受け部は所定の間隔をおいて並設されており、
前記係止孔は、前記一対の受け部の長手方向に沿って所定間隔ごとに複数形成されていることを特徴とする搬送用パレット。
【請求項２】
前記係止孔は、前記受け部の短手方向に沿って所定間隔ごとに複数形成されていることを特徴とする請求項1記載の搬送用パレット。
【請求項３】
前記一対の受け部における互いに相対向する面が傾斜受け面であることを特徴とする請求項１または２記載の搬送用パレット。
【請求項４】
前記ストッパー爪が弾性部材からなることを特徴とする請求項１〜３のいずれか記載の搬送用パレット。
【請求項５】
前記ストッパー爪が平面視で略コの字状に形成されていることを特徴とする請求項１〜４のいずれか記載の搬送用パレット。
【請求項６】
前記パレット基体が合成樹脂からなると共に、前記脚部および前記受け部が前記パレット基体に一体成形されており、前記脚部および受け部は中空状であってその内部が挿入空間となっており、複数枚を積み重ねた際の高さ寸法が減少するよう形成したことを特徴とする請求項１〜５のいずれか記載の搬送用パレット。
【請求項７】
前記一対の受け部で搬送物が支持される態様、または、前記任意の係止孔に差し込んだ前記ストッパー爪で搬送物が支持される態様、または、前記一対の受け部と前記ストッパー爪とで搬送物が支持される態様のいずれかを適宜選択可能としたことを特徴とする請求項１〜６のいずれか記載の搬送用パレット。
【請求項８】
前記一対の受け部の長さ方向に沿って、複数の搬送物を並列状に支持可能としたことを特徴とする請求項１〜７のいずれか記載の搬送用パレット。
【請求項９】
前記搬送物が、光ファイバーもしくは電線などが巻かれたドラム、または、紙もしくはフィルムなどのロール状物であることを特徴とする請求項１〜８のいずれか記載の搬送用パレット。
【請求項１０】
周縁にスリーブ立ち上げ用のガイドを備えた四角形状の底パレットと、前記底パレットの周縁に立ち上がる角筒状のスリーブと、前記スリーブの上面開口を塞ぐキャップと、からなるコンテナであって、
前記底パレット上に、請求項１〜９のいずれか記載の搬送用パレットを設置したことを特徴とするコンテナ。
【発明の詳細な説明】
【技術分野】
【０００１】
本発明は、製品や材料などの搬送、保管などに用いられる搬送用パレット、およびその搬送用パレットで底壁を形成したコンテナに関し、詳しくは、光ファイバーケーブルや電線ケーブルなどが巻かれたドラム、または、紙やフィルムなどの帯状物を支軸に巻いたロール状物などを搬送するために好適に用いることができる搬送用パレット、およびコンテナの改良に関する。
【背景技術】
【０００２】
従来、光ファイバーケーブルや電線ケーブルなどが巻かれたドラムの搬送や保管などに使用するパレットとして、例えば特許文献１（特開２００１−３３５０３５号公報）に開示されたものが知られている。
【０００３】
また、紙やフィルムなどのロール状物の搬送や保管などに使用するコンテナとして、例えば特許文献２（特開２００３−２２１０３５号公報）に開示されたものが知られている。
【０００４】
また、パレット、スリーブおよびキャップの三部材により、組み立て・分解可能に形成されたコンテナとして、例えば、特許文献３（特開２０１０−６３７７号公報）に開示されたものが知られている。
【先行技術文献】
【特許文献】
【０００５】
【特許文献１】特開２００１−３３５０３５号公報
【特許文献２】特開２００３−２２１０３５号公報
【特許文献３】特開２０１０−６３７７号公報
【発明の開示】
【発明が解決しようとする課題】
【０００６】
特許文献１に開示されたパレットは、軽量材製のビーム材からなるフレームと、このフレームに取り付けた二対のストッパーと、ケーブルドラムのフランジを受ける一対のフランジ受けビームを備え、ドラムのフランジを二本のフランジ受けビームで支持してドラムの転がりを防止すると共に、フランジにストッパー爪を当接することによりドラムの転がり防止作用を強化できるようになっている。
しかしながらこのパレットは、一対のフランジ受けビーム同士の離間寸法、および二対のストッパー同士の離間寸法が固定されているので、径や長さが異なる複数種のドラムへの対応が困難であるという不具合があった。
そこで、二対のストッパーをそれぞれ前後方向や左右方向にスライド可能とし、それらストッパーを任意の箇所で固定可能とすることも考えられるが、その場合、構造が複雑になってパレット全体の重量が増し、製造コストが嵩むといった新たな問題が生じる。
【０００７】
また、特許文献２に開示されたコンテナは、相互に向き合う一対の第１側壁および第２側壁によりコンテナ周壁を形成すると共に、一対の第２側壁を上段パネルと下段パネルで形成し、それら上段パネルと下段パネルに、ロール状物の支軸を支持するための分割された支持孔が形成され、一対の第２側壁の間にロール状物が支持されるようになっている。
このコンテナは、支持孔の径が異なる上段パネル、下段パネルを複数用意すれば、軸径の異なる複数種のロール状物に対応することができるが、特許文献３に開示されたコンテナのように、段ボール製などのスリーブでコンテナ周壁が形成された軽量、安価なコンテナに適用することは困難である。
【０００８】
本発明は従来技術が有するこのような課題を解消するためになされたものであり、その目的とするところは、径や長さが異なる複数種のドラムやロール状物に対し容易に対応することができ、構造簡単かつ軽量で、安価に製造可能な搬送用パレット、および、その搬送用パレットを備えたコンテナを提供することにある。
【課題を解決するための手段】
【０００９】
前記した課題を解決するため、本発明に係る搬送用パレットは、四角形状のパレット基体と、前記パレット基体の下面側に突出する脚部と、前記パレット基体の上面側に突出する少なくとも一対の受け部と、前記一対の受け部に形成された係止孔と、前記係止孔に抜き差し自在に差し込まれて前記パレット基体の上面側に立ち上がる複数のストッパー爪と、を備え、
前記一対の受け部は所定の間隔をおいて並設されており、
前記係止孔は、前記受け部の長手方向に沿って所定間隔ごとに複数形成されていることを特徴とする。
【００１０】
このような構成によれば、径や長さが異なる複数種のドラムやロール状物に対し容易に対応することができる。また、簡単な構造で前記作用を得られるので、パレットが重量化する虞れも無く、製造コストが増大する虞れもない。
【００１１】
前記係止孔は、前記受け部の短手方向にそって所定間隔ごとに複数形成されていることが好ましい。この場合、ストッパー爪の位置の選択要素が増えるので、より複数種のドラムやロール状物に対する対応が可能になる。
【００１２】
前記一対の受け部における互いに相対向する面が傾斜受け面であると良い。この場合、傾斜受け面によって、より確実にドラムやロール状物を保持することができるようになる。
【００１３】
前記ストッパー爪として、ゴム製や軟質合成樹脂製などの、弾性部材からなるストッパー爪を用いると良い。この場合、ドラムやロール状物などの径に応じてストッパー爪が弾性変形して搬送物を支持できるので、支持面が広くなり分散でき衝撃が加わった場合に吸収することができる。
【００１４】
前記ストッパー爪は、板状の直方体であるので、抜き差しが容易である。また、ストッパー爪は、平面視で略コの字状に形成されていてもよい。この場合、搬送物のフランジをストッパー爪の凹部で保持し、より確実に搬送物を支持することができる。
【００１５】
なお、前記ストッパー爪として、互いに高さの異なるストッパー爪が複数用意され、任意の高さのストッパー爪を適宜選択して使用可能とすることもできる。この場合も、ストッパー爪の選択要素が増えるので、より多様な大きさの搬送物に対応することができる。
【００１６】
前記パレット基体が合成樹脂からなると共に、前記脚部および前記受け部が前記パレット基体に一体成形されており、前記脚部および受け部は中空状であってその内部が挿入空間となっており、複数枚を積み重ねた際の高さ寸法が減少するよう形成すると良い。
【００１７】
この場合、使用後のパレット搬送時のスペースおよびパレット保管時のスペースが省スペース化され、搬送コストや保管コストの低減が期待できる。また、パレット全体の荷重がさらに軽減されるとともに、製造コストをより安価にすることが期待できる。
【００１８】
本発明によれば、一対の受け部の長さ方向に沿って、複数の搬送物を並列状に支持することも可能になる。
【００１９】
また、本発明に係る搬送用パレットは、光ファイバーもしくは電線などが巻かれたドラム、または、紙もしくはフィルムなどのロール状物などの搬送用パレットとして好適に用いることができる。
【００２０】
本発明に係る搬送用パレットは単独で使用することもできるし、コンテナの底壁を形成する底パレット上に設置して使用することもできる。また、周縁にスリーブ立ち上げ用のガイドを形成すれば、コンテナの底壁を形成する底パレットとして使用することもできる。
【００２１】
本発明に係るコンテナは、周縁にスリーブ立ち上げ用のガイドを備えた四角形状の底パレットと、前記底パレットの周縁に立ち上がる角筒状のスリーブと、前記スリーブの上面開口を塞ぐキャップと、からなるコンテナであって、前記底パレット上に、前記した本発明の搬送用パレットを設置したことを特徴とする。
【００２２】
また、本発明に係るコンテナは、前記した本発明の搬送用パレットの周縁にスリーブ立ち上げ用のガイドを形成した底パレットと、前記底パレットの周縁に立ち上がる角筒状のスリーブと、前記スリーブの上面開口を塞ぐキャップと、からなることを特徴とする。
【００２３】
本発明に係るコンテナは、光ファイバーもしくは電線などが巻かれたドラム、または、紙もしくはフィルムなどのロール状物などの搬送用コンテナとして好適に用いることができる。
【発明の効果】
【００２４】
本発明に係る搬送用パレットおよびコンテナは以上説明したように構成したので、径や長さが異なる複数種のドラムやロール状物に対し容易に対応することができ、構造簡単で、軽量でかつ安価に製造可能であるなど、多くの効果を奏する。
【図面の簡単な説明】
【００２５】
【図１】本発明に係る搬送用パレットの実施形態例を示す斜視図である。
【図２】図１に示す搬送用パレットの平面図である。
【図３】図１に示す搬送用パレットの（ｘ）−（ｘ）断面図である。
【図４】ストッパー爪の拡大斜視図である。
【図５】図１に示す搬送用パレットを複数枚重ねた状態の斜視図である。
【図６】図１に示す搬送用パレットの使用の一例を示す斜視図である。
【図７】図１に示す搬送用パレットの使用の一例を示す斜視図である。
【図８】本発明に係るコンテナの実施形態例を示す分解斜視図である。
【発明を実施するための形態】
【００２６】
以下、本発明の実施形態について図面を参照しながら説明する。
図１は本例の搬送用パレットａの斜視図、図２は平面図、図３は断面図、図４はストッパー爪の拡大斜視図、図５は複数枚を重ねた状態の斜視図、図６および図７は使用状態を示す斜視図である。なお、図８は後述するコンテナＡの分解斜視図である。
【００２７】
パレットａは、適宜の大きさを備えた平面視で略正方形状を呈するパレット基体１と、両端の脚部２，２と、中央の脚部３と、一対の受け部４，４とを、熱可塑性樹脂やその他の合成樹脂材料を用いて一体成形したもので、それぞれの受け部４，４には複数の係止孔５，５・・・が形成されており、各係止孔５には、ストッパー爪６，６・・・が差し込まれるようになっている。
【００２８】
両端の脚部２，２は、パレット基体１における一対の相対向する辺部に沿って形成されており、これら脚部２，２の内側に、一対の受け部４，４が、互いに平行となるよう形成されている。また、一対の受け部３，３の間には、中央の脚部３が、パレット基体１の中心線に沿って形成されている。そして、パレット基体１の下面側において、それぞれの脚部２，２と脚部３の間に、フォークリフトなどのフォーク爪を挿入させるためのフォーク爪挿入空間７が確保されている。
【００２９】
脚部２，２および脚部３は、パレット基体１の下面側に突出するよう成形されたもので、これら脚部２，２および脚部３は内部中空状であって、かつ、上端から下端に向けてすぼむよう、所定の側壁が内向きに傾斜している。
【００３０】
一対の受け部４，４は、パレット基体１の上面側に突出すると共に、側面視で略台形となるよう成形されたもので、これら受け部４，４における互いに相対向する面が、中央の脚部３に向けて下向き傾斜状となる傾斜受け面８，８となっており、それぞれの受け部４，４の上端面９と傾斜受け面８に、係止孔５が凹設されている。
【００３１】
また、それぞれの受け部４，４は内部中空状であって、かつ、下端から上端に向けてすぼむよう、所定の側壁が内向きに傾斜しており、その内部は、複数のパレットａ，ａ・・・を重ねた際、下段のパレットａの受け部４，４が挿入される挿入空間１０となっている。
【００３２】
前記したそれぞれの脚部２，２および脚部３の内部も、複数のパレットａ，ａ・・・を重ねた際、上段のパレットａの脚部２，２および脚部３が挿入される挿入空間１１，１２となっている。これにより、複数枚のパレットａを積み重ねた際の高さ寸法が減少し、使用後のパレット搬送時のスペースおよびパレット保管時のスペースが省スペース化されるようになっている。
【００３３】
係止孔５は、一対の受け部４，４の長手方向および短手方向に沿って所定間隔ごとに複数凹設された有底状の孔で、具体的には、一対の受け部４，４の傾斜受け面８および上端面９の長手方向に沿って、複数の係止孔５が所定間隔ごとに凹設されている。なお、それぞれの係止孔５は、ストッパー爪６を抜き差し自在に差し込み可能な形状に形成されている。
【００３４】
ストッパー爪６は、それぞれの係止孔５に抜き差し自在に差し込まれてパレット基体１の上面に立ち上がるもので、ゴム製や軟質合成樹脂製などの弾性部材からなり、ドラムやロール状物などの径に応じて弾性変形して搬送物１００を支持できるようになっている。またストッパー爪６は、図４に示すように、面取りを施された板状に形成されており、搬送物１００のフランジ１０１が載置され、搬送物１００を支持し得るようになっている。
【００３５】
パレット基体１の上面の四隅には、スリーブを立てた際に内側からガイドするスリーブ立ち上げ用の補助ガイド１３が設けられている。
【００３６】
また、複数の係止孔が対向して設けてあるので、搬送物の径に適合するように係止孔５を選択してストッパー爪６を差し込み、これらストッパー爪６でフランジ１０１を保持することができるので、比較的大径の搬送物１００ａとともに、比較的中径〜小径の搬送物１００ｂ，１００ｃ，１００ｄも支持することができる（図３、図６参照）。すなわち、ストッパー爪６を差し込む位置を適宜変更することで、厚みや径などの大きさが異なる複数種の搬送物１００に対応することができる。また、ストッパー爪６は、弾性変形する素材でできているので、搬送物を傷つけることもなく、固定できる。なお、このようなドラム等のロール状物を固定する際は、単に載置するだけではなく、図６、図７のコイルのように中心に孔のある場合は、ここにロープやテープ等を通して固定すると安定して固定できる。
【００３７】
また、比較的厚みの薄い搬送物である場合は、係止孔５に差し込むストッパー爪６の数を増やせば、一対の受け部４，４の長さ方向に沿って、複数の搬送物１００，１００を並列状に支持することもできる（図７参照）。
【００３８】
さらに、パレットａは挿入空間１０、１１、１２を備えているので、図５に示すように、複数枚のパレットａを積み重ねた際の高さ寸法が減少し、使用後のパレット搬送時のスペースおよびパレット保管時のスペースが省スペース化されるので、搬送コストや保管コストの低減が期待できる。
【００３９】
次に、本発明に係るコンテナの実施形態例について、図８を参照しながら説明する。
コンテナＡは、本例のパレットaと、パレットａを載置し周縁にスリーブ立ち上げ用のガイド２０１を備える底パレットｂと、この底パレットｂの周縁に立ち上がる角筒状のスリーブｃと、このスリーブｃの上面開口を塞ぐキャップｄからなり、組み立て・分解を容易にできるよう形成されている。
【００４０】
底パレットｂは、熱可塑性樹脂材料やその他の合成樹脂材料を用いて一体成形されたもので、その上面側に前記したパレットａを載置可能になっている。前記パレットａの脚部２，２および脚部３が挿入される挿入空間２０２，２０３を備えた脚部２０４，２０５が、前記脚部２，２および脚部３と対応する位置に形成されている。
【００４１】
スリーブｃは、段ボールなどの板紙材を用いて、底パレットｂの周縁に形成したガイド２０１に沿って載置し得る大きさで、適宜の高さを有する四角筒状に形成されている。
【００４２】
キャップｄは、底パレットｂと同じく、熱可塑性樹脂材料やその他の合成樹脂材料を用いて一体成形されたもので、底パレットｂと略同じ大きさを有する平面視で略正方形に形成されている。
【００４３】
そして、底パレットｂにパレットａを載置し、コイルなどのロール状物である搬送物１００を載置し、ロープなどの固定具で固定したうえで、スリーブｃを立て、キャップｄを被せると、組み立て・分解が可能なコンテナＡを構成することができる。
【００４４】
なお、底パレットｂを用いずに、パレットｂのみで使用することもできる。この場合は、パレットｂの終焉にスリープを立てるためのガイドを設ける必要がある。
【００４５】
以上のような構成からなるこの例のコンテナＡによれば、図１〜図７で説明したパレットａによる作用・効果をそのまま有する組み立て・分解可能なコンテナとして使用することができる。
【００４６】
なお、本発明に係る搬送用パレットおよびコンテナの具体的構成は、図示する実施形態例に限られるものではない。すなわち、請求項１〜１０のいずれかに記載された本発明の技術的思想の範疇を逸脱しない範囲で種々の設計変更などがあっても、本発明に含まれるものであることは言うまでもない。
【符号の説明】
【００４７】
Ａ：コンテナ
ａ：パレット
１：パレット基体
２，３：脚部
４，４：一対の受け部
５：係止孔
６：ストッパー爪
８：傾斜受け面
１０，１１，１２：挿入空間
ｂ：底パレット
ｃ：スリーブ
ｄ：キャップ
【図１】
2013063792.tif 000003
【図２】
2013063792.tif 000004
【図３】
2013063792.tif 000005
【図４】
2013063792.tif 000006
【図８】
2013063792.tif 000007
【図５】
2013063792.tif 000008
【図６】
2013063792.tif 000009
【図７】
2013063792.tif 000010